(57)【要約】  端部と端部を接して連結された同一のウェブセグメントのシリーズを含む、凸面または凹面の形状へと垂直に構成することができるドライウォールを吊るすための湾曲可能なグリッドティーであって、セグメントがシート状金属のティー型の横断面へと形成され、セグメントのシート状金属が折り畳まれ、その結果、各々のセグメントがその上方縁部で通常の折り畳みで連結されたステム層を備えた垂直な２層ステムを有し、ステムの各々の層の下方縁部でのシート状金属が外側に曲がってフランジを形成し、隣接するセグメントの間の接合が垂直面において互いと比較して角度をなして変位するかかる隣接したセグメントを可能にし、その結果、フランジが湾曲した平面でドライウォールパネルを支持することができる、湾曲可能なグリッドティー。【選択図】図１
2016501325.tif 000002
【特許請求の範囲】
【請求項１】
端部と端部を接して連結された同一のウェブセグメントのシリーズを含む、凸面または凹面の形状へと垂直に構成することができるドライウォールを吊るすための湾曲可能なグリッドティーであって、セグメントがシート状金属のティー型の横断面へと形成され、セグメントのシート状金属が折り畳まれ、その結果、各々のセグメントがその上方縁部で通常の折り畳みで連結されたステム層を備えた垂直な２層ステムを有し、ステムの各々の層の下方縁部でのシート状金属が外側に曲がってフランジを形成し、隣接するセグメントの間の接合が垂直面において互いと比較して角度をなして変位するかかる隣接したセグメントを可能にし、その結果、フランジが湾曲した平面でドライウォールパネルを支持することができる、湾曲可能なグリッドティー。
【請求項２】
前記セグメントがクロスティーコネクターの収容のための垂直スロットおよび吊りワイヤーの収容のための隙間を有する、請求項１に記載の湾曲可能なティー。
【請求項３】
前記セグメントが互いとは構造的に不連続であり、セグメントの隣接した端部が通常の枢軸によって枢軸的に連結される、請求項１に記載の湾曲可能なティー。
【請求項４】
前記セグメントが枢軸中心と同心のアーチ形の端部を有する、請求項３に記載の湾曲可能なグリッドティー。
【請求項５】
各々のセグメントが、１つのセグメントが他のものと比較して枢動する場合に、アーチ形の端部によって描写されるパスへ隣接するロッキングネジの収容のための穴を有する、請求項４に記載の湾曲可能なティー。
【請求項６】
前記セグメントが通常のシートから切断され、ステム層の隣接した上方領域が接続したままであり、前記上方領域が現地で切断されて隣接したセグメントの相対的枢動運動を可能にするように適合される、請求項１に記載の湾曲可能なティー。
【請求項７】
長手方向で折り畳まれて第１の線上で２層ステムを形成し、第２および第３の線上でステムから反対方向で伸長するフランジを形成する、単一のストリップシート状金属で形成されるドライウォールの支持のための湾曲可能なティーであって、ストリップが前記第２および第３の線に沿って断続的にスリットおよび／またはスロットを持ち、前記ステムが、前記第２および第３の線ならびに前記第１の線での前記スリットまたはスロットの間で、垂直面における前記フランジで鋭角または鈍角へと曲がることを可能にする様式である、湾曲可能なティー。
【請求項８】
２層ステムおよび向かい合った単層フランジを備えたティー横断面へと折り畳まれる第１の連続的なシート状金属ストリップを含む、凸面または凹面の形状へと垂直に構成することができるドライウォールを吊るすための湾曲可能なティーであって、ステムおよびフランジが、分離した長手方向に伸長するセグメントにおいて、ステムおよびフランジの長手方向の連続したセグメントを接続する限定的な強さのブリッジ領域を備えたステムを残す様式で、ティーの長さに沿って規則的に配置された間隔で切り離され、長手方向に連続的な面ストリップがフランジの下にあり、フランジと面ストリップとの間の限定的な相対的な長手方向の変位を可能にする様式でそれへ連結される、湾曲可能なティー。
【発明の詳細な説明】
【技術分野】
【０００１】
本発明は湾曲したドライウォール天井を組み立てるための調整可能な曲率のグリッド部材に関する。
【背景技術】
【０００２】
建築家、インテリアデザイナー、ビル所有者および／または居住者は、室または空間を平天井の実用的な外観と差別化する所望の外観を得るために湾曲した天井を指定することがある。曲率半径は通常は部位間で変動し、特定の部位でさらに変動し得る。この多様性は、指定されるかもしれない可能性のあるアーチ形天井に対応することができるグリッドティーのアレイを生産し商品目録を作ることを製造者にとって実践的でなくする。
【０００３】
湾曲したドライウォール天井のための構造の現場での製造は、高レベルの技能および大規模な工数を必要とし、かかる天井構造を比較的高価にする。
【０００４】
人件費および要求される技能を軽減でき、全範囲の曲率について使用できる製造済みのグリッド部材が必要とされる。
【発明の概要】
【課題を解決するための手段】
【０００５】
本発明は、湾曲したドライウォール天井の組み立てにおける使用のための製造済みの現地で調整可能なグリッドティーを提供する。ティーを凹面の形状で形成して、凸面の天井領域を組み立てるために円天井または凸面の形状を組み立てることができる。本発明のティーは平行な列でアレンジされ、従来のクロスティーによって連結されて、ドライウォールシートを添付できる非平面のグリッドを形成することができる。本発明は、ネジ留め具により調整された位置でロックできるバージョンが含まれる様々な形態を採用することができる。発明のティーの他の構成は所望される構成へと恒久的に曲げることができる。ティーが、平天井グリッドを吊るす慣習的な様式でハンガーワイヤーにより吊るされることを可能にするように、開示したティーのステムまたはスパインは隙間を備えて提供される。
【０００６】
ティーは、２層ステムおよび向かい合ったフランジへと折り畳まれたシート状金属セグメントで形成される。セグメント（それは分離した要素、最初は連結された要素または恒久的に連結された要素でありえる）は端部と端部を接してアレンジされる。曲率は、セグメントをそれらの隣接するセグメントへわずかに角度をなして配向させることによって、ティーに与えられる。いくつかのバージョンにおいて、セグメントは、典型的にはシート状金属の分離した長手方向に連続的な面のストリップにより組み付けられる。
【図面の簡単な説明】
【０００７】
【図１】凹面または円天井の構成でそれへ添付された１枚のドライウォールを伴う本発明のティーの第１の実施形態の部分側面図である。
【図２】凸面の構成の図１のティーの部分図である。
【図３】図１のティーの単一のセグメントの側面図である。
【図４】図３のセグメントの端面図である。
【図５】図１のティーの部分斜視図である。
【図６】図１のティーの修飾の部分側面図である。
【図７】図６のティーが生産される中間体シート状金属ブランクの平面図である。
【図８】直線状構成での本発明のグリッドティーの第２のバージョンの部分斜視図である。
【図９】図８のティーの構造細部によるシート状金属ブランクの部分斜視図である。
【図１０】図１０Ａ〜Ｄは、図８のティーの異なる構成を図示する。
【図１１】本発明のグリッドティーの第３の実施形態の部分斜視図である。
【図１２】図１１の実施形態の部分横断面図である。
【図１３】図１１のティーのセグメントの打ち抜かれた金属板予備的形成品の部分斜視図である。
【発明を実施するための形態】
【０００８】
本明細書において記述される様々なティーは、例えば２８〜２２ゲージの溶融亜鉛めっきシート状金属から製造される。典型的にはそれらが直線構成により製造され、それらが設置されるべき部位上の垂直面で所望される曲線へと手動で再構成されるという意味で、開示したティーまたはランナーは湾曲可能である。開示したティーは吊り天井システムにおいて使用される従来のメインティーに相似であり、例えば１０フィートの長さを有する。
【０００９】
ここで図１〜５を参照して、湾曲可能なティー１０は、端部と端部を接して連結された同一のセグメント１１のシリーズ、およびセグメント上に組み付けられた細長い面ストリップ１２を含む。セグメント１１は図示された縁部プロファイルにより打ち抜かれる。セグメント１１は垂直ステム１３および水平フランジ１４を備えた倒立ティーの横断面を有する。ステム１３は、ステム１３の上方縁部１７でシートストックを１８０度で曲げることによって２つの層１６を備えて形成される。ステム１３の下方縁部で、その層１６のうちの各々を９０度曲げてフランジ１４を形成する。それらの中央の長さのところで、各々のフランジ１４は、それぞれのフランジ１４の主要な部分の下にヘムの様式で折り畳まれてフランジ１４に対する面ストリップ１２を捕捉するタブ１８を有する。タブ１８は、ストリップ１２とセグメント１１との間の局所的な相対的な長手方向の摺動運動を可能にするように十分に緩い。上述したものから観察されるように、セグメント１１は、半円形突部１９を有する１つのステム層１６を備え、一方他の層１６が反対端部で突部１９を有する回転対称を有する。
【００１０】
セグメント端部で突部を有していない層１６は、半円形ノッチ、または隣接したセグメント１１の突部１９を収容するように釣り合わせられた切り抜き２１を有する。
【００１１】
セグメント１１の１つの端部での突部または舌１９の幾何学的中心は、一体型リベット２２の中へ打ち抜かれ、一体型リベット２２は隣接したセグメント１１の突部１９の幾何学的中心の中へパンチングされた穴２３中に収容される。一旦収容穴２３中に配置されたならば、リベット２２をひっくり返してそれぞれのセグメント１１をともに恒久的にカップリングすることができる。
【００１２】
面ストリップ１２はティー１０の全長に沿って長手方向に連続的であり、セグメント１１のすべてのタブ１８中に組み付けられる。ステム１３の両方の層１６は、従来のドライウォールクロスティーの１対のコネクターを収容するように適合させた整列した垂直スロット２４（ティー１０の各々の側面から１つ）を備えて形成される。同様に、ハンガーワイヤーを収容するのに十分に大きな整列した穴２６も、その上方縁部（２７と示される）に隣接するステム層１６中に形成される。
【００１３】
シート状金属のネジ２８はリベット２２を形成するステム層１６中の穴２９中に組み付けられる。穴２９は隣接するセグメント１１の嵌合突部１９の円形縁部へ正接する。ティー１０は、ステム１３の平面を参照して任意の所望される曲率凹面または凸面へ限界の間で無限に調整することができる。一例として、ティー１０（以下に開示したティーの他の実施形態と同様に）をパターンに対して配置して、所望される弧を得ることができる。ティー１０を、それぞれのリベット２２の中心に関して各々のセグメント対の間での角度のある変位によって所望される曲線と正接するまで調整する。セグメント１１は、取り付けネジ２８を引き締めることによってそれらの所望される位置でロックされる。曲率が確立された後、ティー１０はステム１３中に提供された穴２６を介して組み付けられたワイヤーにより吊るすことができる。吊るされる場合、ステム１３の中心所在位置はティー１０の横方向でティー１０の安定性を改善し、ドライウォール天井において使用される従来のクロスティーの使用を可能にする。
【００１４】
図６および７は、図１〜５中に図示されたティー１０の修飾である湾曲可能なティー３０を図示する。同じまたは本質的に同じ部分および／または機能のための同じ数字が、この修飾において使用される。ステム１３およびフランジ１４は、図７中に図示されたシート状金属ストックの単一のストリップから打ち抜かれるか、またはそうでなければそれから形成される。初期製造状態において、隣接するセグメント１１はそれらのステム１３の上方領域で連結される。個別のセグメント１１が組み付けのために個別に配置される必要はないので、この条件は製造プロセスを単純化することができる。分離したネジまたはリベット３２は、セグメント１１のための枢軸点を提供することができるか、または図１〜５の実施形態中に記載されたように一体型リベット２２を用いることができる。ステムまたはスプライン１３は、枢動ジョイントが確立された後に後続する製造工程で切り抜くことができるか、またはグリッド中でのティー３０の設置の前に技術者によって現地で切断することができる。単純な切断ではなく、枢軸中心より上の隣接したステム１３の頂部領域の小さなセクションが除去されるならば、ティー３０は凸面の構成で湾曲することができる。
【００１５】
図８〜１０は、湾曲可能なティー４０がセグメント４１を有する本発明の第２の実施形態を図示する。セグメント４１のフランジ４３がセグメントからセグメントへと長手方向で連続的なままであるが、セグメント４１のステム４２は互いから切り離される。ティー４０は単一のシート状金属ブランク４４から作製され、その短い長さのものを図９中で図示する。ブランク４４は、クロスティースロット４５およびハンガー穴５０を備えて形成される。ブランク４４は長手方向の中心線４６でそれ自体上で１８０度折り畳まれて、２層セグメントステム４２を確立する。ブランク４４を長手方向に配向したスロット４８を介して通過する線４７に沿って９０度曲げて、向かい合って伸長するフランジ４３を生成する。アーチ形のスロット４９は、長手方向のスロット４８と中心線４６に沿った矩形の穴５１との間で接続する。穴５１は隣接するセグメント４１を分離する。
【００１６】
ブランク４４中のフランジ領域にブランク４４の長さに対して線５２で横切って線を引くかまたは刻み目をつけて、ティー４０が様々な構成（図１０Ａ〜１０Ｄにおいて示されるもの等）で曲げられる場合に、ティー４０がかかる線に沿って曲がることを保証する。ブランク４４中のパンチングされた穴５３はシート状金属のネジを受け入れて、隣接するセグメント４１の間の選択された角度方向を固定して所望される曲線または角度のある構成をもたらす。ドライウォールパネルが直角を含む角度で組み立てられる場合、ティー４０は下端および同種の構造の組み立てにおける使用に理想的である。ティー４０の面にわたって測定される所望の角度が１８０度より大きい場合、スロット４８を介して突出するステム４２の部分は図１０Ａおよび１０Ｂ中で破線によって図示されるようにトリミングされる。
【００１７】
図１１〜１３は本発明の第３の実施形態における湾曲可能なティー６０を図示する。ティー６０はステム６２およびフランジ６３を備えた各々のセグメント６１を有する。セグメント６１は互いに一体型である。ティー６０は加えてフランジ面ストリップ６４を含む。図１３は、ステム６２およびフランジ６３が形成されるストリップシート状金属から打ち抜かれたブランク６６の断片的な長さのものを図示する。ブランク６６は、ハンガーワイヤー収容穴６７およびクロスティーコネクタースロット６８を含む。ブランク６６は中心線６９でそれ自体上で折り畳まれて、２層セグメントステム６２を形成し、破線７１で９０度で曲げて向かい合ったセグメント化したフランジ６３を形成する。
【００１８】
フランジ面ストリップ６４はティー６０の全長に沿って連続的に長手方向に伸長する。図１２中で示されるように、面ストリップ６４の長手方向のマージンは、ヘムの様式でフランジ６３の遠位縁部の周囲で折り畳まれてフランジ上にストリップを保持し、セグメント６１とストリップとの間の相対的な局所的滑りを可能にするが、一方で通常の垂直面においてセグメントを維持する。垂直面における隣接するセグメント６１の角度方向は、２つのセグメントの間のブリッジ領域７３の上方領域を恒久的に延伸するのに十分な手動力の適用によって調整され、ティー６０の所望される凹面の曲率を得ることができる。反対に、凸面の曲率が所望されるならば、手動力はブリッジ領域７３の下部を長くするように適用される。
【００１９】
ドライウォールシートは、図１中で図示された様式で図示される任意の湾曲可能なティーへ締め付けることができる。セグメントに対して正接し、任意の面ストリップおよびそれぞれのティーのフランジを貫通するセルフドリリングのドライウォールのネジ７６によりかかるセグメントへ添付されるように、ドライウォールシート（７５として示される）は撓曲される。
【００２０】
本発明はその特定の実施形態に関して示され記述されたが、これは限定ではなく例示を目的とするものであり、本明細書において示され記載された具体的な実施形態の他の変形および修飾は、本発明の意図された趣旨および範囲内ですべての当業者に明らかであろう。したがって、本特許は、本明細書において示され記載された具体的な実施形態に対する範囲および効果や当技術分野における進歩が本発明によって前進させた程度と矛盾する任意の他の手法を限定するものではない。
【図１】
2016501325.tif 000003
【図２】
2016501325.tif 000004
【図３】
2016501325.tif 000005
【図４】
2016501325.tif 000006
【図５】
2016501325.tif 000007
【図６】
2016501325.tif 000008
【図７】
2016501325.tif 000009
【図８】
2016501325.tif 000010
【図９】
2016501325.tif 000011
【図１０】
2016501325.tif 000012
【図１１】
2016501325.tif 000013
【図１２】
2016501325.tif 000014
【図１３】
2016501325.tif 000015
【国際調査報告】
2016501325.tif 000016
2016501325.tif 000017
2016501325.tif 000018